(57)【要約】【課題】切り込み線を有する物品収容袋において、袋内部を完全に密封する。【解決手段】フィルム部材によって形成され、互いに重ね合わされた状態で両側部どうし、および、底部６が連結されることにより袋体を構成する第１パネル１および第２パネル２と、第１パネル１における上部寄りに形成された開封用のミシン目４と、を備えた物品収容袋Ａ１であって、第１パネル１には、ミシン目４を密封状態で覆うテープ材５が設けられている。【選択図】図２
2009143581.tif 000002
【特許請求の範囲】
【請求項１】
フィルム部材によって形成され、互いに重ね合わされた状態で両側部どうし、および、上部どうしまたは底部どうしのいずれかが連結されることにより袋体を構成する第１パネルおよび第２パネルと、上記第１パネルにおける上部寄りに形成された開封用の切り込み線と、を備えた物品収容袋であって、
上記第１パネルには、上記切り込み線を密封状態で覆うテープ材が設けられていることを特徴とする、物品収容袋。
【請求項２】
上記テープ材と上記第１パネルとの間には、粘着剤が介在させられている、請求項１に記載の物品収容袋。
【請求項３】
上記切り込み線は、切込み部が不連続状に形成されたミシン目とされている、請求項１または２に記載の物品収容袋。
【請求項４】
上記切り込み線は、上記第１パネルの所定の領域を包囲するように形成された上記ミシン目からなり、上記テープ材を剥がすことにより、上記所定の領域が上記テープ材とともに上記第１パネルから切り離されるように構成されている、請求項３に記載の物品収容袋。
【請求項５】
上記テープ材は、所定幅の帯状とされており、上記ミシン目は、上記テープ材の長手方向における端部の上記切込み部が、互いに対向する一対の上記長手方向に沿う部分と、これらの部分とつながり、上記テープ材の幅方向の全体にわたる部分とを有するように構成されている、請求項４に記載の物品収容袋。
【請求項６】
上記切り込み線は、所定長さにわたって形成された一連の切り目とされている、請求項１または２に記載の物品収容袋。
【請求項７】
上記第１パネルおよび第２パネルの上部において上記切り込み線よりも底部寄りに設けられ、上記上部を開状態と閉状態とに切換可能な開閉手段をさらに備える、請求項１ないし６のいずれかに記載の物品収容袋。
【請求項８】
上記第１パネルは、上記第２パネルに連結された本体部と、上記本体部と上記第２パネルとの間に挟まれ、上記本体部の上部から底部に向けて延びる折り返し部とを備え、
上記開閉手段は、上記折り返し部および上記本体部の対向するそれぞれの内面部分に跨るように設けられており、
上記切り込み線は、上記本体部に形成されているとともに、
上記折り返し部と上記第２パネルとの間には、物品を挿入するための挿入口が形成されている、請求項７に記載の物品収容袋。
【発明の詳細な説明】
【技術分野】
【０００１】
本発明は、物品収容袋に関する。
【背景技術】
【０００２】
物品を漏洩することなく比較的高い気密状態で保存可能な物品収容袋として、開口端にファスナなどの開状態と閉状態とに切換可能な開閉手段が設けられたものが、各種食品、医薬品等の幅広い分野で用いられている。このような物品収容袋は、一般に、互いに重ね合わされた第１パネルおよび第２パネルを備え、これら第１パネルおよび第２パネルの両側部どうしおよび底部どうしが連結されて袋体が構成されており、上記開閉手段は、上記第１パネルおよび第２パネルの上部に設けられている（例えば、特許文献１を参照）。
【０００３】
また、この種の開閉手段を有する物品収容袋のうち、上記開閉手段よりも上位において、ミシン目などの開封を容易化するための切り込み線が形成されたものも知られている（例えば、特許文献２を参照）。このような構成によれば、切り込み線を切り開くことにより物品収容袋を容易に開封することができる。
【０００４】
しかしながら、上記切り込み線を備える従来の物品収容袋では、ファスナなどの開閉手段を閉状態にしたとしても、当該開閉手段によって袋内部を完全に密封シールすることは困難である。このため、物品収容袋の開封前においても、開閉手段および切り込み線を通じて、外気が袋内部に侵入し得た。食品や粉末状の薬品など内容物によっては開封前に密閉保存が必要とされる場合があるが、上記従来の物品収容袋では、このような密閉保存を要する内容物には適さないものとなっていた。
【０００５】
【特許文献１】特開平１１−２８７７１号公報
【特許文献２】特開平６−３０５０５７号公報
【発明の開示】
【発明が解決しようとする課題】
【０００６】
本発明は、このような事情のもとで考え出されたものであって、切り込み線を有する物品収容袋において、袋内部を完全に密封することを課題とする。
【課題を解決するための手段】
【０００７】
上記の課題を解決するため、本発明では、次の技術的手段を講じている。
【０００８】
本発明によって提供される物品収容袋は、フィルム部材によって形成され、互いに重ね合わされた状態で両側部どうし、および、上部どうしまたは底部どうしのいずれかが連結されることにより袋体を構成する第１パネルおよび第２パネルと、上記第１パネルにおける上部寄りに形成された開封用の切り込み線と、を備えた物品収容袋であって、上記第１パネルには、上記切り込み線を密封状態で覆うテープ材が設けられていることを特徴としている。
【０００９】
このような構成の物品収容袋によれば、切り込み線を有する場合であっても、テープ材によって切り込み線を完全に密封することが可能であり、開封前において袋内部を気密状態に維持することができる。したがって、本発明に係る物品収容袋は、密閉保存が必要な内容物の収容についても適している。
【００１０】
好ましい実施の形態においては、上記テープ材と上記第１パネルとの間には、粘着剤が介在させられている。
【００１１】
このような構成によれば、上記切り込み線における気密状態をより完全なものとすることができる。
【００１２】
好ましい実施の形態においては、上記切り込み線は、切込み部が不連続状に形成されたミシン目とされている。
【００１３】
好ましい実施の形態においては、上記切り込み線は、上記第１パネルの所定の領域を包囲するように形成された上記ミシン目からなり、上記テープ材を剥がすことにより、上記所定の領域が上記テープ材とともに上記第１パネルから切り離されるように構成されている。
【００１４】
このような構成によれば、テープ材を剥がすといった簡単な操作により、内容物の取り出しに適した所望サイズの開口を形成することができる。
【００１５】
好ましい実施の形態においては、上記テープ材は、所定幅の帯状とされており、上記ミシン目は、上記テープ材の長手方向における端部の上記切込み部が、互いに対向する一対の長手方向に沿う部分と、これらの部分とつながり、上記テープ材の幅方向の全体にわたる部分とを有するように構成されている。
【００１６】
このような構成によれば、ミシン目で包囲された領域を適確に切り離すことができる。
【００１７】
好ましい実施の形態においては、上記切り込み線は、所定長さにわたって形成された一連の切り目とされている。
【００１８】
このような構成によれば、切り込み線の構成を簡単にしつつテープ材を剥がすといった簡単な操作により所望の開口を形成することができる。
【００１９】
好ましい実施の形態においては、上記第１パネルおよび第２パネルの上部において上記切り込み線よりも底部寄りに設けられ、上記上部を開状態と閉状態とに切換可能な開閉手段をさらに備える。
【００２０】
このような構成によれば、開封後においても開閉手段を閉状態としておくことにより、袋内部を適度な気密状態に維持することができる。
【００２１】
好ましい実施の形態においては、上記第１パネルは、上記第２パネルに連結された本体部と、上記本体部と上記第２パネルとの間に挟まれ、上記本体部の上部から底部に向けて延びる折り返し部とを備え、上記開閉手段は、上記折り返し部および上記本体部の対向するそれぞれの内面部分に跨るように設けられており、上記切り込み線は、上記本体部に形成されているとともに、上記折り返し部と上記第２パネルとの間には、物品を挿入するための挿入口が形成されている。
【００２２】
このような構成によれば、上記第２パネルと上記折り返し部との間には挿入口が形成されているので、上記開閉手段が閉状態のままでも、上記挿入口を通じて袋内部に物品の挿入を行うことができる。すなわち、かかる構成の物品収容袋においては、袋内部に物品を充填する際に、上記開閉手段を開状態に引き離す必要がないので、物品挿入作業を効率よく行うことができる。さらに、上記開閉手段が上記折り返し部の内面に取り付けられているので、袋内部に物品を挿入する際に、誤って上記開閉手段が設けられた部分に物品を挿入してしまうこともない。
【００２３】
本発明のその他の特徴および利点は、添付図面を参照して以下に行う詳細な説明によって、より明らかとなろう。
【発明を実施するための最良の形態】
【００２４】
以下、本発明の好ましい実施の形態について、図面を参照して具体的に説明する。
【００２５】
本発明に係る物品収容袋の一例を図１および図２に示す。図１は物品収容袋の正面図であり、図２は図１のＩＩ−ＩＩ線に沿う断面図である。図１および図２に示すように、この物品収容袋Ａ１は、第１パネル１と、第２パネル２と、ファスナ３と、ミシン目４と、テープ材５とを備えて構成されている。
【００２６】
第１パネル１および第２パネル２は、例えばプラスチックフィルムなどの一連のフィルム部材を底部６において折り曲げることにより互いに向かい合って重ね合わされており、袋体を構成するものである。第１パネル１は、本体部１１と折り返し部１２とを有している。本体部１１は、上記袋体の一方の側面部分を構成するものであり、図１および図２に表れているように、上側に位置する上端部１３と、下側に位置する下端部１４と、左右両側に位置する側部１５とを有している。折り返し部１２は、本体部１１から延出し、上端部１３において底部６に向けて上記袋体の内側に折り返された部分である。本体部１１と折り返し部１２との間には、これらを上端部１３付近において接着する接着部８ａが設けられている。これにより、折り返し部１２が本体部１１から分離することは防止される。
【００２７】
第２パネル２は、上記袋体の他方の側面部分を構成するものであり、図１および図２に表れているように、上側に位置する上端部２３と、下側に位置する下端部２４と、左右両側に位置する側部２５とを有している。第１パネル１の両方の側部１５と第２パネル２の両方の側部２５とは、それぞれ、たとえ溶着により連結されており、物品収容袋Ａ１の左右を封止している。底部６においては、第１パネルの下端部１４と第２パネル２の下端部２４とが接着されて接着部８ｂが形成されており、この底部６が補強されている。折り返し部１２と第２パネル２の上端部２３との間には、挿入口７が形成されている。この挿入口７は、物品を袋内部に挿入するためのものである。図４を参照すると理解できるように、挿入口７を接着部８ｃによって封止すると、物品収容袋Ａ１を密閉状態とすることができる。
【００２８】
ファスナ３は、図２に示すように、第１パネル１の上部において、本体部１１および折り返し部１２の対向するそれぞれの内面部分に跨るように設けられており、互いに嵌合する雄ファスナ３ａと雌ファスナ３ｂとで構成されている。このファスナ３は、本発明でいう開閉手段の一例であり、開状態と閉状態とに切換可能で、かつ閉状態において適度な気密性を付与することができるものである。雄ファスナ３ａは、折り返し部１２の内面側に設けられ、接着部８ａ（上端部１３）よりも下位（底部６寄り）に位置する。一方、雌ファスナ３ｂは、本体部１１の内面側に設けられ、接着部８ａ（上端部１３）よりも下位（底部６寄り）に位置する。
【００２９】
ミシン目４は、第１パネル１の上部寄りに形成されており、より具体的には、本体部１１の接着部８ａと雌ファスナ３ｂとの間に位置している。このミシン目４は、本発明でいう開封用の切り込み線の一例であり、切込み部４１が不連続状に形成されたものである。本実施形態においては、ミシン目４は、図１における左右方向を長手方向とする略長矩形状の領域４２を包囲するように形成されている。ミシン目４の切込み部４１のうち、上記長手方向の端部に位置する切込み部４１ａについては、互いに対向する一対の上記長手方向に沿う部分と、当該部分につながり、領域４２の幅方向の全体にわたる部分とを有している。
【００３０】
テープ材５は、図１および図２に表れているように、所定幅を有する帯状とされており、第１パネル１の本体部１１外面上において、図１における左右方向に沿ってミシン目４を覆うように設けられている。また、このテープ材５と本体部１１との間には、粘着剤５１が介在させられており、この粘着剤５１は、ミシン目４を覆うよう設けられている。粘着剤５１は、適度な粘度と接着力を有するものが選択的に用いられる。また、テープ材５の粘着剤５１と接する方の面５ａは、その表面状態が適度に粗い粗面とされており、粘着剤５１との接着強度が比較的に大きくなっている。
【００３１】
物品収容袋Ａ１を開封する際には、図３に表れているように、テープ材５を長手方向（図１における左右方向）に沿って剥がすことにより、領域４２がテープ材５および粘着剤５１とともに本体部１１から切り離され、ミシン目４に沿って開口４３が形成される（図４参照）。この状態でファスナ３を開くと、雄ファスナ３ａと雌ファスナ３ｂとの間、および開口４３を通じて、物品収容袋Ａ１内部の物品を取り出すことが可能となる。
【００３２】
次に、上記構成の物品収容袋Ａ１の製造方法の一例を図５〜図１１を参照して説明する。
【００３３】
物品収容袋Ａ１は、フィルム部材９を用いて製造される。フィルム部材９は、図５において左右方向を幅方向とし、紙面垂直方向を長手方向とする帯状のフィルム部材であり、第１パネル１および第２パネル２の原形となるものである。このフィルム部材９は、長手方向に沿って所定の速度で移動させられており、以下の操作が加えられる。
【００３４】
まず、図５に示すように、フィルム部材９の一方の面９ａに雄ファスナ３ａ’と雌ファスナ３ｂ’とを貼り付け、ミシン目４を形成する。雄ファスナ３ａ’および雌ファスナ３ｂ’は、フィルム部材９の長手方向に沿ってそれぞれ互いに平行に延びるように形成される。ミシン目４は、フィルム部材９の長手方向に沿うようにして、かつ所定の間隔を隔てて形成される。雄ファスナ３ａ’はフィルム部材９の左端寄りに溶着され、それよりも中央寄りに雌ファスナ３ｂ’は溶着される。ミシン目４は、雄ファスナ３ａ’と雌ファスナ３ｂ’との間の雌ファスナ３ｂ’寄りの位置に形成される。
【００３５】
次に、図６に示すように、フィルム部材９の他方の面９ｂに粘着剤５１’およびテープ材５’を順次積層形成する。粘着剤５１’は、ミシン目４全体を覆っており、長手方向に沿って連続して延びている。テープ材５’は、粘着剤５１’全体を覆っており、長手方向に沿って連続して延びている。
【００３６】
次いで、図７に示すように、ミシン目４と雄ファスナ３ａ’との間でフィルム部材９を折り曲げて上端部１３’を形成し、この上端部１３’において折り曲げられたフィルム部材９の長いほうを本体部１１’とし、短いほうを折り返し部１２’とする。なお、この折り曲げの際に、雄ファスナ３ａ’と雌ファスナ３ｂ’とは嵌合させられる。さらに、本体部１１’と折り返し部１２’とをミシン目４よりも図中左側の所定範囲において接着し、接着部８ａ’を形成する。この接着部８ａ’の形成は、例えば溶着によって行うことができる。溶着による接着部８ａ’の形成は、例えばフィルム部材９の長手方向に沿って延びる向かい合う一対のヒータによって本体部１１’と折り返し部１２’との両側から加熱し、両者を溶着させることによって行う。接着部８ａ’を形成することによって、折り返し部１２’は本体部１１’から離れなくなり、以降の工程を安定して行うことができる。
【００３７】
次いで、図８に示すように、フィルム部材９を本体部１１’の幅方向の中央付近で折り曲げて底部６’を形成し、この底部６’を境にフィルム部材９を第１パネル１’と第２パネル２’とに区分する。これにより本体部１１’は上端部１３’から底部６’までとなり、底部６’より先の折り返された部分は第２パネル２’となる。この折り曲げ作業において、第２パネル２’は、折り返し部１２’を間に挟んで本体部１１’と向かい合い、その上端部２３’と上端部１３’とが重なり合うように折り曲げられている。
【００３８】
次いで、図９に示すように、フィルム部材９の長手方向に沿って所定の間隔ごとに、フィルム部材９の幅方向に延びるシール部９ｃを形成する。このシール部９ｃの形成は、たとえば、フィルム部材９の幅方向に延びる向かい合う一対のヒータによって第１パネル１’と第２パネル２’の両側から加熱し、両者を溶着させることによって行われる。
【００３９】
次いで、図１０に示すように、底部６’の所定幅を接着させ、接着部８ｂ’を形成する。接着部８ｂ’を形成することによって、底部６’が薄くなることを防ぐことができる。
【００４０】
次いで、シール部９ｃによって区切られた各袋体に挿入口７から物品を挿入する。この挿入作業は、連接された袋体をフィルム部材９の長手方向に移動させながら、各袋体に順次物品を挿入することで効率よく行うことができる。この後、図１１に示すように、挿入口７を接着して接着部８ｃを形成し、各袋体を密閉状態とする。接着部８ｃの形成は、例えば溶着によって行う。
【００４１】
次に、複数形成されたシール部９ｃの各々において、フィルム部材９をその幅方向に沿って裁断する。この裁断作業により、フィルム部材９から第１パネル１および第２パネル２が切り出され、裁断されたシール部９ｃは、第１パネル１および第２パネル２における側部１５，２５となる。これにより、物品収容袋Ａ１を連続的に複数製造することができる。
【００４２】
本実施形態の物品収容袋Ａ１においては、ミシン目４が粘着剤５１およびテープ材５によって覆われていることにより、当該ミシン目４を完全に密封することが可能であり、開封前において袋内部を気密状態に維持することができる。したがって、物品収容袋Ａ１は、密閉保存が必要な内容物の収容についても適している。
【００４３】
本実施形態においては、上述したように、物品収容袋Ａ１を開封する際には、テープ材５を長手方向に沿って剥がすことにより、ミシン目４に沿って開口４３が形成される。したがって、テープ材５を剥がすといった簡単な操作により、内容物の取り出しに適した所望サイズの開口４３を形成することができる。
【００４４】
また、ミシン目４は、テープ材５の長手方向における端部の切込み部４１ａが、互いに対向する一対の長手方向に沿う部分と、これらの部分とつながり、テープ材５の幅方向の全体にわたる部分とを有している。かかる切込み部４１ａによれば、テープ材５をその長手方向に沿って剥がす際に、切込み部４１ａに囲まれた領域４２の端部がめくれ易くなるので、領域４２を適確に切り離すことができる。
【００４５】
本実施形態においては、第２パネル２と、第１パネルの折り返し部１２との間に挿入口７が形成されているため、物品収容袋Ａ１の内部への物品の挿入は、ファスナ３を閉じたままでも、挿入口７を通じて行うことができる。したがって、袋内部に物品を挿入する際には、ファスナ３を開状態に引き離す必要がないので、物品挿入作業を効率よく行うことができる。加えて、ファスナ３は、本体部１１および折り返し部１２が対向する内側に設けられているため、挿入口７を通じて物品を挿入する際に、当該物品がファスナ３に引っ掛かることもない。したがって、物品挿入作業をよりスムーズに行うことができ、便宜である。
【００４６】
図１２〜図１５は、本発明に係る物品収容袋の他の例を示している。なお、図１２以降の図面においては、上記実施形態と同一または類似の要素には上記実施形態と同一の符号を付しており、適宜説明を省略する。
【００４７】
図１２に示された物品収容袋Ａ２においては、ミシン目の態様が上記実施形態の物品収容袋Ａ１とは異なっている。図１２に表れているように、物品収容袋Ａ２のミシン目４Ａは、所定長さにわたって直線状に形成されているとともに、粘着剤５１およびテープ材５によって完全に覆われている。したがって、物品収容袋Ａ２についても、開封前においては袋内部を完全に気密状態に維持することができる。
【００４８】
図１３に示された物品収容袋Ａ３においては、本発明でいう切り込み線の態様が上記実施形態の物品収容袋Ａ１とは異なっている。図１３に表れているように、物品収容袋Ａ３では、ミシン目に代えて、所定長さにわたって一連の切り目４Ｂが形成されている。この切り目４Ｂは、粘着剤５１およびテープ材５によって完全に覆われている。したがって、物品収容袋Ａ３についても、開封前においては袋内部を完全に気密状態に維持することができる。加えて、物品収容袋Ａ３においては、テープ材５を剥がすといった簡単な操作によって切り目４Ｂが開放状態になるので、内容物の取り出しに適した所望サイズの開口を簡単に形成することができる。なお、図１３においては、上記実施形態のミシン目４，４Ａと区別するために切り目４Ｂを実線で表している。
【００４９】
図１４および図１５に示された物品収容袋Ａ４においては、ファスナ（開閉手段）を具備しない点が上記実施形態の物品収容袋Ａ１とは異なっている。また、第１パネル１は折り返し部を具備しておらず、第１パネル１の上端部１３と第２パネルの上端部２３とが溶着によって形成された接着部８ｃによって連結されている。このように、本発明はファスナを具備しない物品収容袋にも適用可能であり、物品収容袋Ａ４についても、開封前においては袋内部を完全に気密状態に維持することができる。
【００５０】
以上、本発明の実施形態を説明したが、本発明の技術的範囲は上記した実施形態に限定されるものではない。本発明に係る物品収容袋の各部の具体的な構成は、発明の思想から逸脱しない範囲内で種々な変更が可能である。
【００５１】
本発明でいうテープ材としては、上記実施形態の構成に代えて、例えばあらかじめ一方の面に接着剤などが塗布された接着テープを用いてもよい。この場合、当該接着テープと切り込み線との間には、粘着剤を介在させる必要がない。
【００５２】
第１パネルおよび第２パネルの相互間を連結させる手法としては、上記実施形態に挙げた溶着に限定されるものでなく、接着や超音波シールなど他の手法を用いてもよい。要するに、連結されるべき部分が封鎖されていればよい。
【００５３】
本発明に係る物品収容袋は、袋体の底部において折り返し可能な底面部分（いわゆるガゼット部）を備えるものとすることもできる。また、あらかじめ第１パネルおよび第２パネルの両側部および上部をそれぞれ連結することによって袋体を形成しておき、底部に形成された挿入口を通じて物品を袋内部に挿入可能な構成としてもよい。
【図面の簡単な説明】
【００５４】
【図１】本発明に係る物品収容袋の一例を示す平面図である。
【図２】図１のＩＩ−ＩＩ線に沿う断面図である。
【図３】図１の物品収容袋を開封する際の状態を示す要部斜視図である。
【図４】図１の物品収容袋の使用例を示す断面図である。
【図５】図１の物品収容袋を製造する方法における一部の工程を示す断面図である。
【図６】図５の後に続く工程を示す断面図である。
【図７】図６の後に続く工程を示す断面図である。
【図８】図７の後に続く工程を示す断面図である。
【図９】図８の後に続く工程を示す平面図である。
【図１０】図９の後に続く工程を示す断面図である。
【図１１】図１０の後に続く工程を示す断面図である。
【図１２】本発明に係る物品収容袋の他の例を示す平面図である。
【図１３】本発明に係る物品収容袋の他の例を示す平面図である。
【図１４】本発明に係る物品収容袋の他の例を示す平面図である。
【図１５】図１４のＸＶ−ＸＶ線に沿う断面図である。
【符号の説明】
【００５５】
Ａ１Ａ２，Ａ３，Ａ４    物品収容袋
１      第１パネル
２      第２パネル
１１    本体部
１２    折り返し部
１３    上端部（第１パネルの）
１４    下端部（第１パネルの）
１５    側部（第１パネルの）
２３    上端部（第２パネルの）
２４    下端部（第２パネルの）
２５    側部（第２パネルの）
３      ファスナ（開閉手段）
３ａ    雄ファスナ
３ｂ    雌ファスナ
４，４Ａ    ミシン目（切り込み線）
４Ｂ    切り目（切り込み線）
４１，４１ａ    切込み部
４２    （ミシン目に包囲された）領域
５      テープ材
５１    粘着剤
６      底部
７      挿入口
９      フィルム部材
【図１】
2009143581.tif 000003
【図２】
2009143581.tif 000004
【図３】
2009143581.tif 000005
【図４】
2009143581.tif 000006
【図５】
2009143581.tif 000007
【図６】
2009143581.tif 000008
【図７】
2009143581.tif 000009
【図８】
2009143581.tif 000010
【図９】
2009143581.tif 000011
【図１０】
2009143581.tif 000012
【図１１】
2009143581.tif 000013
【図１２】
2009143581.tif 000014
【図１３】
2009143581.tif 000015
【図１４】
2009143581.tif 000016
【図１５】
2009143581.tif 000017